(57)【特許請求の範囲】
【請求項１】
患者が居る病室内に設置されており、患者が医療従事者を呼び出すために押下される呼出ボタンと、前記呼出ボタンの押下される圧力の値を検出する圧力センサと、前記呼出ボタンが押下された場合に、前記圧力センサが検出した圧力の値を含む呼出信号を生成して出力する子機制御部とを有するナースコール子機と、
前記患者が前記医療従事者を呼び出していることを通常の状態で報知するとともに、前記患者が前記医療従事者を緊急に呼び出していることを緊急の状態で報知する報知部と、現在日時を示す現在日時情報を取得するカレンダー部と、前記患者の手術の予定を示す手術予定情報を取得する手術予定取得部と、前記圧力の値の分布を調べる所定の期間を示す期間情報を設定するための期間設定部と、前記呼出信号を入力した場合に、前記カレンダー部が取得した前記現在日時情報が前記期間設定部にて設定された前記期間情報に該当するか否かを判定する期間判定部と、前記現在日時情報が前記期間情報に該当すると前記期間判定部にて判定した場合に、前記手術予定取得部にて取得した手術予定情報の前後の一定の期間に前記現在日時情報によって特定される現在日時が含まれるか否かを判定する手術予定判定部と、前記現在日時が前記一定の期間に含まれると前記手術予定判定部にて判定した場合に前記呼出信号に含まれる前記圧力の値を取得せず、前記現在日時が前記一定の期間に含まれないと前記手術予定判定部にて判定した場合に前記呼出信号に含まれる前記圧力の値を取得し、得られた圧力の値の範囲、またはこの圧力の値の範囲の前後に所定値を加えた範囲を閾値の範囲として設定する範囲設定部と、前記呼出信号を入力した場合に、前記範囲設定部を参照し、前記呼出信号に含まれる圧力の値が前記閾値の範囲内であるときに前記通常の状態で報知部を動作させるとともに、前記呼出信号に含まれる圧力の値が前記閾値の範囲外であるときに前記緊急の状態で前記報知部を動作させる制御部とを有するナースコール親機と、
を備えたことを特徴とするナースコールシステム。
【発明の詳細な説明】
【技術分野】
【０００１】
本発明は、病院などで患者からの要求に応じて看護師を呼び出すナースコールシステムに関する。
【背景技術】
【０００２】
従来、ナースコールシステムは、患者の近辺（例えば、ベッド近傍など）に設置されたナースコール子機と看護師など（以下、医療従事者と記載する）の常駐するナースステーションなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。このとき、医療従事者は、ナースコール親機に設けられたハンドセットをオフフックして呼び出しに対する応答を行うとともに、患者と通話を行うことができる。
【０００３】
また、このようなナースコールシステムでは、ナースコール子機とナースコール親機との間に、廊下灯を設置することが一般的である。廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール親機と連動しており、患者がナースコール子機の呼出操作部を操作して呼び出しを行うと、ナースコール子機は、ナースコール親機および廊下灯に呼び出しを通知する。このとき、廊下灯は廊下灯に設けたランプなどを点灯／点滅させることにより廊下灯が設置されている病室で呼び出しが行われていることを知らせる。これにより、廊下に居る医療従事者などは、呼び出しを行った患者が居る病室を特定することができる。
【０００４】
また、上述した構成に加えて、医療従事者が携行する携帯端末（例えば、ＰＨＳ（Personal
Handy phone System）端末など）とＰＢＸ（Private Branch Exchange：電話交換機）とを備えたナースコールシステムも提供されている。そして、ナースコール子機により呼び出しが行われた場合に、携帯端末は鳴動したり振動したりして報知を行う。医療従事者は、携帯端末を操作して呼び出しに対する応答を行うとともに、患者と通話を行うことができる。
【０００５】
ところで、患者が医療従事者を呼び出す場合に、その用件は様々である。また、用件によっては緊急のものがあり、医療従事者にすぐに連絡を取りたいケースもある。そのため、ナースコール子機に呼出ボタンと緊急呼出ボタンとを設け、操作されたボタンによって、ナースコール親機の動作を異ならせる技術が知られている（例えば、特許文献１を参照）。しかしながら、特許文献１に記載の技術では、呼出ボタンおよび緊急呼出ボタンの二つのボタンをナースコール子機に設ける必要があるため、設置面積が大きくなってしまうという問題があった。また、患者が呼出ボタンおよび緊急呼出ボタンの用途を理解していなかったり、咄嗟の場合にボタンの種類の区別がつかなかったりした場合には、誤った呼び出しが行われてしまうという問題があった。
【０００６】
特に、患者が緊急呼出ボタンを操作する場合には、患者の状態が通常の状態ではないことが多いため、緊急呼出ボタンを明確に把握して操作することができないことがあった。そこで、呼出ボタンが押下される圧力を圧力センサで検出して、検出した圧力に応じて表示装置での表示を異ならせる技術が知られている（例えば、特許文献２を参照）。これにより、一つの呼出ボタンを複数の呼出ボタンとして使用することができるようになる。
【０００７】
しかしながら、特許文献２に記載の技術では、呼出ボタンを押下する圧力には個人差があるため、同じ状況であっても患者によって呼出ボタンを押下する圧力が異なり、通常の呼び出しと緊急の呼び出しとを適切に区別することができなくなってしまうという問題があった。
【０００８】
このような問題を解決するために、患者毎に呼出ボタンが押下される圧力の値の分布を調べ、上限値と下限値とを閾値として、この閾値を患者毎に異ならせることが考えられる。しかしながら、このような分布を調べる場合に、その患者が弱っている状態で呼出ボタンを押下したケースを加えると、その圧力が極端に小さくなってしまい、適切な閾値が得られなくなってしまうという問題があった。
【先行技術文献】
【特許文献】
【０００９】
【特許文献１】特開２０００−２２４３２１号公報
【特許文献２】特開２００５−２３７７７２号公報
【発明の概要】
【発明が解決しようとする課題】
【００１０】
本発明は、上述したような問題を解決するために成されたものであり、呼出ボタンが押下される圧力が閾値の範囲内であるときに、ナースコール親機で通常の報知を行い、閾値の範囲外であるときに、ナースコール親機で緊急の報知を行うナースコールシステムで、呼出ボタンが押下される圧力の値の分布を患者毎に調べ、この分布に基づいて患者毎に閾値を設定する際に、できるだけ適切な閾値を設定することができるようにすることを目的とする。
【課題を解決するための手段】
【００１１】
上述した課題を解決するために、本発明では、呼出ボタンが押下される圧力を検出する圧力センサをナースコール子機に設け、呼出ボタンが押下された現在日時が、圧力センサが検出した圧力の値の分布を調べる所定の期間内に該当した場合に、現在日時が手術の予定の前後の一定期間に含まれるか否かを判定し、含まれると判定した場合に呼出ボタンが押下された圧力の値を取得せず、含まれないと判定した場合に呼出ボタンが押下された圧力の値を取得して、この分布により得られた圧力の値の範囲、または、この圧力の値の範囲の前後に所定値を加えた範囲を閾値の範囲として設定するようにしている。そして、呼出ボタンが押下された場合に、その圧力の値が閾値の範囲内であるときにはナースコール親機にて通常の報知を行い、その圧力の値が閾値の範囲外であるときにはナースコール親機で緊急の報知を行うようにしている。
【発明の効果】
【００１２】
上記のように構成した本発明によれば、呼出ボタンが押下される圧力の値が閾値の範囲内であるときに、ナースコール親機で通常の報知を行い、閾値の範囲外であるときに、ナースコール親機で緊急の報知を行うナースコールシステムで、呼出ボタンが押下される圧力の値の分布を患者毎に調べ、この分布に基づいて患者毎に閾値を設定する際に、呼出ボタンが押下された現在日時が手術の予定の前後の一定期間に含まれる場合には、分布に含めないようにしているので、呼出ボタンを押下する圧力が極端に低くなってしまうケースを除外することができる。これにより、できるだけ適切な閾値を設定することができる。
【図面の簡単な説明】
【００１３】
【図１】本実施形態によるナースコールシステムの構成例を示すブロック図である。
【図２】本実施形態によるナースコールシステムの閾値の範囲の設定例を示す図である。
【発明を実施するための形態】
【００１４】
以下、本発明の一実施形態を図面に基づいて説明する。図１は、本実施形態によるナースコールシステムの構成例を示すブロック図である。図１に示すように、本実施形態によるナースコールシステムは、患者の居る病室のベッド近傍に設置され、患者が呼び出しの操作を行うためのナースコール子機１と、医療従事者が常駐するナースステーションに設置され、呼び出しを報知するためのナースコール親機１０とを備える。
【００１５】
ここで、ナースコール子機１は、子機制御部２、呼出ボタン３、圧力センサ４、子機インターフェース５を備えて構成されている。また、ナースコール親機１０は、制御部１１、インターフェース１２、報知部１３、応答操作部１４、カレンダー部１５、手術予定取得部１６、期間設定部１７、期間判定部１８、手術予定判定部１９、範囲設定部２０を備えて構成されている。また、ナースコール子機１とナースコール親機１０との間には図示しない廊下灯が設置されている。
【００１６】
廊下灯は、病室の出入口近傍の廊下側の壁面に取り付けられている。また、廊下灯は、取り付けられている病室の番号やその病室に入院している患者の氏名などの患者情報を表示している。また、廊下灯は、ナースコール子機１およびナースコール親機１０と連動しており、患者がナースコール子機１の呼出ボタン３を操作して呼び出しを行うと、ナースコール子機１は、廊下灯に呼び出しを通知する。このとき、廊下灯は内蔵したランプなどを点灯／点滅させることにより廊下灯が設置されている病室で呼び出しが行われていることを知らせる。これにより、廊下に居る医療従事者などは、呼び出しを行った患者や医療従事者が居る病室を特定することができる。
【００１７】
まず、ナースコール子機１の構成要素について説明する。子機制御部２は、ナースコール子機１の各構成要素を後述するように制御するためのものであり、ＣＰＵ（Central Processing Unit）などにより構成されている。呼出ボタン３は、患者が医療従事者を呼び出す際に操作するためのものである。ここで、呼出ボタン３は、患者の手元で使用することができるように、可搬性の筐体に設けられている。また、筐体にはコードが設けられており、このコードの先端にはプラグが設けられている。このプラグは、ベッドの近傍の壁面に設置されているウォールユニットに設けたコンセントに接続される。そのため、ナースコール子機１の筐体は、ベッド近傍で移動可能である。
【００１８】
なお、本実施形態では、ナースコール子機１の筐体は、コードによりウォールユニットに接続されているが、これに限定されない。例えば、ナースコール子機１を無線式としても良い。
【００１９】
圧力センサ４は、周知のセンサにより構成されており、呼出ボタン３が押下される力を検出する。また、圧力センサ４は、検出した圧力の値を子機制御部２へ出力する。子機インターフェース５は、ナースコール親機１０のインターフェース１２に接続されており、ナースコール子機１とナースコール親機１０とを電気的に接続する。
【００２０】
呼出ボタン３が押下されると、圧力センサ４は呼出ボタン３が押下される力を検出し、検出した圧力の値を子機制御部２へ出力する。子機制御部２は、入力した圧力の値を含む呼出信号を生成し、子機インターフェース５によりナースコール親機１０へ出力する。ここで、呼出信号には、ナースコール子機１を他のナースコール子機１と識別するための子機識別情報も含まれる。
【００２１】
次に、ナースコール親機１０の構成要素について説明する。制御部１１は、ナースコール親機１０の各構成要素を後述するように制御するためのものであり、ＣＰＵやメモリなどの記憶装置を主な構成要素としている。ここで、後述する手術予定取得部１６、期間設定部１７、期間判定部１８、手術予定判定部１９、範囲設定部２０も、制御部１１と同様にＣＰＵやメモリなどにより構成されている。
【００２２】
インターフェース１２は、ナースコール子機１の子機インターフェース５に接続されており、ナースコール親機１０とナースコール子機１とを電気的に接続する。ここで、ナースコール親機１０とナースコール子機１との間の通信は、有線や無線によって行われる。
【００２３】
報知部１３は、スピーカーなどの音声出力装置や表示ディスプレイなどの表示装置、ランプなどの点灯装置の少なくとも一つの装置により構成されている。また、報知部１３は、患者が医療従事者を呼び出していることを報知する。ここで、インターフェース１２がナースコール子機１から呼出信号を入力した場合に、親機制御部１１は、報知部１３を動作させる。このとき、親機制御部１１は、入力した呼出信号に含まれる子機識別情報に基づいて、呼び出しが行われたナースコール子機１を特定することができるように、スピーカーから報知音を出力させたり、表示ディスプレイに呼び出しが行われていること、および、呼び出しを行った患者の氏名などを表示させたり、ランプを点滅させたりする。
【００２４】
また、報知部１３は、呼出ボタン３が押下された力に応じて報知を異ならせる。すなわち、報知部１３は、患者が医療従事者を呼び出していることを通常の状態で報知するとともに、患者が医療従事者を緊急に呼び出していることを緊急の状態で報知する。
【００２５】
応答操作部１４は、ハンドセットや置き台、フックスイッチなどにより構成されており、応答操作部１４を構成するハンドセットを置き台から取り上げることでフックスイッチが動作してオフフックとなり、ハンドセットを置き台に戻すことでフックスイッチが動作してオンフックとなる。
【００２６】
カレンダー部１５は、現在日時情報を取得するためのものであり、時計などにより構成されている。これにより、制御部１１は、カレンダー部１５から現在日時情報を取得することができる。なお、カレンダー部１５をナースコール親機１０の外部に設けるようにしても良い。
【００２７】
手術予定取得部１６は、ナースコール親機１０の外部に設置されているサーバーなどから患者が手術を受ける予定の日時を示す手術予定情報を含む患者情報を取得する。ここで、手術予定情報は、患者を他の患者と識別するための患者識別情報を含む。
【００２８】
期間設定部１７は、圧力の値の分布を調べる所定の期間を示す期間情報を設定するためのものであり、その所定の期間を手動で設定するようにしても良いし、自動で設定するようにしても良い。本実施形態では、患者が入院した時点から３日間を所定の期間としている。この所定の期間は、通常の状態である患者がどの程度の力で呼出ボタンを押下するのかの分布を調べる期間であるため、この期間を固定の長さにしても良いし、患者の入院期間の長さに応じて長くしたり短くしたりしても良い。
【００２９】
期間判定部１８は、制御部１１がカレンダー部１５から取得した現在日時情報が期間設定部１７にて設定した所定の期間に該当するか否かを判定する。ここで、インターフェース１２が呼出信号を入力した場合に、制御部１１は期間判定部１８を動作させる。
【００３０】
手術予定判定部１９は、制御部１１がカレンダー部１５から取得した現在日時情報が、手術予定取得部１６にて取得した手術予定情報の前後の一定の期間に含まれるか否かを判定する。ここで、インターフェース１２が呼出信号を入力し、カレンダー部１５から取得した現在日時情報が期間設定部１７にて設定した所定の期間に該当すると期間判定部１８にて判定した場合に、制御部１１は手術予定判定部１９を動作させる。また、一定の期間とは、患者が手術の影響で通常の状態と異なる状態となる期間であり、本実施形態では、手術の開始時刻の二時間前から手術開始時刻の四時間後までの期間を指す。なお、この一定の期間は、手術の内容などによって異ならせるようにしても良い。
【００３１】
範囲設定部２０は、上述した所定の期間内にインターフェース１２が呼出信号を入力した場合に、その現在日時が手術予定の前後の一定の期間に含まれるか否かを判定し、呼出信号に含まれる圧力の値を採用するか否かを設定する。ここで、範囲設定部２０は、呼出信号に含まれる子機識別情報に基づいて、ナースコール子機１毎に分布を調べて圧力の値の範囲の設定を行う。
【００３２】
インターフェース１２が呼出信号を入力した場合に、期間判定部１８は、制御部１１がカレンダー部１５から取得した現在日時情報が期間設定部１７にて設定した所定の期間に該当するか否かを判定する。現在日時情報が所定の期間に該当すると期間判定部１８にて判定した場合に、手術予定判定部１９は、取得した現在日時情報が手術予定取得部１６にて取得した手術予定情報の前後の一定の期間に含まれるか否かを判定する。そして、現在日時情報が手術予定情報の前後の一定の期間に含まれると手術予定判定部１９にて判定した場合に、範囲設定部２０は、インターフェース１２が入力した呼出信号に含まれる圧力の値を採用しない。
【００３３】
一方、現在日時情報が手術予定情報の前後の一定の期間に含まれないと手術予定判定部１９にて判定した場合に、範囲設定部２０は、インターフェース１２が入力した呼出信号に含まれる圧力の値を採用する。
【００３４】
また、上述した所定の期間では、インターフェース１２が呼出信号を入力すると、制御部１１は、報知部１３を通常の状態で動作させる。所定の期間において報知部１３が通常の状態で報知を行う理由は、所定の期間は、患者が呼出ボタン３を押下する圧力の値の分布を調べる期間に該当するからであり、圧力の値の範囲が決まっていないからである。
【００３５】
例えば、図２に示すように、ある患者が「２０１２年６月７日１０時３０分」に入院したとすると、期間設定部１７にて入院してから３日間である「２０１２年６月１０日
１０時３０分」までが所定の期間として設定される。この状態で、呼出ボタン３が押下されると、圧力センサ４は「１２０ｇ」の圧力の値を検出する。子機制御部２は、その圧力の値「１２０ｇ」および子機識別情報を含む呼出信号を生成して、子機インターフェース５によりナースコール親機１０へ出力する。ここで、圧力の値の単位としてｇ（グラム）を用いているが、１００ｇは０．９８Ｎに該当する。
【００３６】
ナースコール親機１０のインターフェース１２が呼出信号を入力すると、制御部１１は呼出信号に含まれる子機識別情報により呼び出しを行ったナースコール子機１を特定し、範囲設定部２０にて分布を調べさせる。期間判定部１８は、カレンダー部１５から現在日時情報である「２０１２年６月７日１１時１６分」を取得し、この現在日時情報が期間設定部１７にて設定した所定の期間「２０１２年６月７日１０時３０分」〜「２０１２年６月１０日１０時３０分」に該当するか否かを判定する。この場合、現在日時情報は所定の期間に該当すると期間判定部１８にて判定される。
【００３７】
すると、手術予定判定部１９は、上述した現在日時情報である「２０１２年６月７日１１時１６分」が手術予定情報である「２０１２年６月９日１０時００分」の前後の一定の期間である「２０１２年６月９日８時００分」〜「２０１２年６月９日１４時００分」に含まれるか否かを判定する。この場合、現在日時情報は一定の期間に含まれないと手術予定判定部１９にて判定される。従って、範囲設定部２０は、「１２０ｇ」の圧力の値を採用する。
【００３８】
同様に、現在日時情報が「２０１２年６月７日１３時２７分」に押下された圧力の値である「５０ｇ」、現在日時情報が「２０１２年６月７日１７時０８分」に押下された圧力の値である「１６０ｇ」、現在日時情報が「２０１２年６月８日１４時１５分」に押下された圧力の値である「８０ｇ」、現在日時情報が「２０１２年６月８日２２時３２分」に押下された圧力の値である「１１０ｇ」、現在日時情報が「２０１２年６月９日１８時２２分」に押下された圧力の値である「６０ｇ」が範囲設定部２０にて採用される。
【００３９】
一方、現在日時情報が「２０１２年６月９日１２時１５分」に押下された圧力の値である「２５ｇ」は、上述した一定の期間に含まれるため、範囲設定部２０は採用しない。そのため、範囲設定部２０は、実際に呼出ボタン３が押下された圧力の下限値である「５０ｇ」を所定値である「１０ｇ」だけ広げた「４０ｇ」を閾値の下限値として設定する。また、範囲設定部２０は、実際に呼出ボタン３が押下された圧力の上限値である「１６０ｇ」を所定値である「１０ｇ」だけ広げた「１７０ｇ」を閾値の上限値として設定する。
【００４０】
すなわち、範囲設定部２０は、「４０ｇ」〜「１７０ｇ」を閾値の範囲として設定する。そして、所定の期間が終了した後で、患者が呼出ボタン３を押下すると、ナースコール親機１０の制御部１１は、範囲設定部２０を参照し、インターフェース１２が入力した呼出信号に含まれる圧力の値が閾値の範囲内であるときに、報知部１３を通常の状態で動作させる。一方、インターフェース１２が入力した呼出信号に含まれる圧力の値が閾値の範囲外であるときに、報知部１３を緊急の状態で動作させる。
【００４１】
以上詳しく説明したように、本実施形態によれば、呼出ボタン３が押下される圧力を検出する圧力センサ４をナースコール子機１に設け、呼出ボタン３が押下された現在日時が、圧力センサ３が検出した圧力の値の分布を調べる所定の期間内に該当した場合に、現在日時が手術の予定の前後の一定期間に含まれるか否かを判定し、含まれると判定した場合に呼出ボタンが押下された圧力の値を取得せず、含まれないと判定した場合に呼出ボタンが押下された圧力の値を取得して、得られた圧力の値の範囲の前後に所定値を加えた範囲を閾値の範囲として範囲設定部２０にて設定するようにしている。そして、所定の期間が経過した後に呼出ボタン３が押下された場合に、その圧力の値が閾値の範囲内であるときにはナースコール親機１０にて通常の報知を行い、その圧力の値が閾値の範囲外であるときにはナースコール親機１０にて緊急の報知を行うようにしている。
【００４２】
これにより、呼出ボタン３が押下される圧力の値が閾値の範囲内であるときに、ナースコール親機１０で通常の報知を行い、閾値の範囲外であるときに、ナースコール親機１０で緊急の報知を行うナースコールシステムで、呼出ボタン３が押下される圧力の値の分布を患者毎に調べ、この分布に基づいて患者毎に閾値を設定する際に、呼出ボタン３が押下された現在日時が手術の予定の前後の一定期間に含まれる場合には、その値を採用しないようにしているので、呼出ボタン３を押下する圧力が極端に低くなってしまうケースを除外することができる。これにより、できるだけ適切な閾値を設定することができる。
【００４３】
なお、前述した実施形態では、所定の期間内に範囲設定部２０が取得した圧力の値の下限値および上限値に所定値を加えた範囲を閾値の範囲としているが、これに限定されない。例えば、所定の期間内に範囲設定部２０が取得した圧力の値の下限値および上限値を閾値の範囲にしても良い。
【００４４】
また、前述した実施形態では、範囲設定部２０が手術の予定の前後の一定の期間を分布を調べる所定の期間から除外しているが、これに限定されない。例えば、手術以外にも、患者が呼出ボタン３を押下する力が極端に大きくなったり小さくなったりするであろう予定の前後の一定の期間を分布を調べる所定の期間から除外するようにしても良い。具体的には、点滴の予定の期間や睡眠の予定の期間を適用するようにしても良い。
【００４５】
また、前述した実施形態では、所定の期間が経過するまで、報知部１３は緊急の報知を行わないが、これに限定されない。例えば、予め定めた暫定値を閾値の範囲として設定しておき、所定の間が経過するまではこの暫定地を閾値の範囲として用いるようにしても良い。
【００４６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４７】
１    ナースコール子機
２    子機制御部
３    呼出操作部
４    圧力センサ
５    子機インターフェース
１０    ナースコール親機
１１    制御部
１２    インターフェース
１３    報知部
１４    応答操作部
１５    カレンダー部
１６    手術予定取得部
１７    期間設定部
１８    期間判定部
１９    手術予定判定部
２０    範囲設定部
【図１】
0005892870.tif 000002
【図２】
0005892870.tif 000003